(57)【要約】【課題】本発明は、特にエージング検査時と製品出荷時とでフレームの立体形状が変える必要がある例えば液晶表示装置狭額縁でかつ奥行きを深くすることなく２つのフレームを回転自在にすることのできる基板取付装置を提供することにある。【課題手段】本発明に係る基板取付装置は、基板を取付けるための一対のフレーム１,２を有し、この一対の該フレーム１，２は、係合手段４，５によって互いに回動できるように連結されているとともに、一定の回動角度で回動を規制する回動規制手段を有していることを特徴とする。【選択図】図１
2005292504.tif 000002
【特許請求の範囲】
【請求項１】
基板を取付けるための一対のフレームを有し、
この一対の該フレームは、係合手段によって互いに回動できるように連結されているとともに、一定の回動角度で回動を規制する回動規制手段を有していることを特徴とする基板取付装置。
【請求項２】
請求項１記載の基板取付装置であって、
前記回動規制手段が複数設けられていることを特徴とする基板取付装置。
【請求項３】
請求項１または２記載の基板取付装置であって、
前記係合手段は、一方のフレームに設けられた穴と、他方のフレームに設けられた突起とから構成されていることを特徴とする基板取付装置。
【請求項４】
請求項３記載の基板取付装置であって、
前記回動規制手段は、前記突起と穴との形状からなることを特徴とする基板取付装置。
【請求項５】
請求項１乃至４の何れかに記載の基盤取付装置であって、
前記一対のフレームのうち一方のフレームはアーム部を有し、
該アーム部には前記係合手段が設けられていることを特徴とする基板取付装置。
【請求項６】
請求項１乃至５の何れかに記載の基板取付装置であって、
前記回動規制手段は、一方のフレームに設けられた凸部面から構成され、該凸部面は、他方のフレームの厚み分の距離をとって天面と平行に突出されていることを特徴とする基板取付装置。
【請求項７】
請求項１乃至５の何れかに記載の基板取付装置であって、
一方のフレームの天面には天面突起部が設けられ、他方のフレームには、該天面突起部が嵌入可能な切欠き凹部が形成され、
前記回動規制手段は、前記天面突起部に設けられた穴と、前記切欠き凹部に突設された突起とから構成されていることを特徴とする基板取付装置。
【請求項８】
請求項１乃至７の何れかに記載の基板取付装置であって、
前記フレームは、樹脂成型品から構成されていることを特徴とする基板取付装置。
【請求項９】
請求項１乃至８の何れかに記載の基板取付装置であって、
前記一対のフレームのうち、一方のフレームには液晶パネルが搭載され、他方のフレームには基板が取付けられていることを特徴とする基板取付装置。
【発明の詳細な説明】
【技術分野】
【０００１】
本発明は、基板取付装置に関し、より詳しくは、たとえば液晶表示装置において基板を取付けるための一対のフレームが回動可能に設けられているものに関する。
【背景技術】
【０００２】
特許文献１所載の基板取付装置は、アレイ基板の上に液晶表示パネルや回路基板などを搭載される技術が開示されている。
【０００３】
しかしながら、該特許文献１所載の技術では、回路基板がアレイ基板上に搭載されているので狭額縁にならず、このため、液晶表示装置等の表示装置においては不適であるという問題を有している。
【０００４】
また、特許文献２所載の基板取付装置は、回路基板を固定する技術とラップトップコンピュータの表示部を回転自在にする技術とアレイ基板の上に液晶表示パネルや回路基板などを搭載される技術が開示されている。
【０００５】
しかしながら、特許文献２所載の技術では、ヒンジ部により表示部とラップトップコンピュータ部が回転自在に接続されているが、これらを所定の角度で固定することができない
【特許文献１】特開平１−２３４８２９号公報
【特許文献２】特開平１１−２９６１０１号公報
【発明の開示】
【発明が解決しようとする課題】
【０００６】
本発明は、上記従来技術の問題を鑑みてなされたものであり、本発明は、特にエージング検査時と製品出荷時とでフレームの立体形状が変える必要がある例えば液晶表示装置狭額縁でかつ奥行きを深くすることなく２つのフレームを回転自在にすることのできる基板取付装置を提供することにある。
【課題を解決するための手段】
【０００７】
本発明は上記課題を解決すべくなされたものであり、本発明に係る基板取付装置は、基板を取付けるための一対のフレームを有し、この一対の該フレームは、係合手段によって互いに回動できるように連結されているとともに、一定の回動角度で回動を規制する回動規制手段を有していることを特徴とする。
【０００８】
上記構成からなる本願発明に係る基板取付装置は、一対のフレームを係合手段を介して回動することができるとともに、前記回動規制手段によって一定角度で一対のフレームの状態を維持することができる。このため、エージング検査時と製品出荷時とでフレームの立体形状を変えることが可能となる。
【０００９】
また、本願発明に係る基板取付装置にあっては、回動規制手段が複数設けられていることが好ましい。
【００１０】
これにより、複数の回動規制手段によって複数の回動角度で一対のフレームを維持することができる。
【００１１】
また、本願発明に係る基板取付装置にあっては、係合手段が、一方のフレームに設けられた穴と、他方のフレームに設けられた突起とから構成されていることが好ましい。
【００１２】
これにより、穴と突起との係合により一対のフレームが回動自在に連結することが可能となる。
【００１３】
また、前記構成を採用した場合にあっては、回動規制手段が、前記突起と穴との形状からなる構成を採用することが好ましい。
【００１４】
このように係合手段として形成した突起と穴との形状により回動規制手段を構成することにより、廉価に本発明の目的を達成することができる。具体的には、たとえば、穴及び突起に一対のフレームが一定角度となった際に当接する面を形成することによって上記構成を達成することが可能である。
【００１５】
また、本願発明に係る基板取付装置にあっては、前記一対のフレームのうち一方のフレームはアーム部を有し、該アーム部には前記係合手段が設けられていることが好ましい。
【００１６】
このように、係合手段をアーム部に設けることにより、狭額縁でかつ奥行きを深くすることなく２つのフレームを回転自在にすることができる。
【００１７】
また、本願発明に係る基板取付装置にあっては、回動規制手段が、一方のフレームに設けられた凸部面から構成され、該凸部面は、他方のフレームの厚み分の距離をとって天面と平行に突出されている構成を採用することが好ましい。
【００１８】
これにより、凸部面が他方のフレームに係合することにより一対のフレームを所定の角度に維持することができる。
【００１９】
また、本願発明に係る基板取付装置にあっては、一方のフレームの天面には天面突起部が設けられ、他方のフレームには、該天面突起部が嵌入可能な切欠き凹部が形成され、前記回動規制手段は、前記天面突起部に設けられた穴と、前記切欠き凹部に突設された突起とから構成されていることが好ましい。
【００２０】
これにより、一対のフレームを回動した際に、天面突起部が切欠き凹部に嵌入し、天面突起部の穴に切欠き凹部の穴が嵌まり込むこにより、一対のフレームを一定角度に維持することができることになる。
【００２１】
また、本願発明に係る基板取付装置にあっては、フレームが、樹脂成型品から構成されていることが好ましい。
【００２２】
これにより、基板取付装置自体の軽量化・低コスト化を図ることが可能となる。
【００２３】
また、本願発明に係る基板取付装置は、一対のフレームのうち、一方のフレームには液晶パネルが搭載され、他方のフレームには基板が取付けられている液晶表示装置に好適に用いることができる。
【発明を実施するための最良の形態】
【００２４】
以下、本発明の実施例に係る液晶表示装置用の基板取付装置の実施例について説明する。
【実施例１】
【００２５】
まず、実施例１の基板取付装置を、図１乃至図６を参酌しつつ説明する。なお、図１は、実施例１の基板取付装置の概略的斜視図を示し、（イ）は全体概略図であり、（ロ）は要部拡大図である。図２は、実施例１の基板取付装置の要部拡大した概略的斜視図である。図３は、実施例１の基板取付装置の概略説明図を示す。図４は、実施例１の基板取付装置の要部拡大した概略的斜視図をである。図５は、実施例１の基板取付装置の概略的正面図を示す。図６は、実施例１の基板取付装置の第一フレームと第二フレームとの連結部分を示す拡大断面図である。
【００２６】
実施例１の基板取付装置は、回動可能に連結された第一フレーム１と第二フレーム２との一対のフレームから構成されており、第一フレーム１には液晶パネル（図示省略）が取付けられ、第二フレーム２には、基板が取付けられるものである。
【００２７】
そして、前記一対のフレーム１，２は、それぞれ、一体成型された樹脂成型品から構成されている。
【００２８】
前記第二フレーム２には、天面（回動軸側の面）から突出したアーム部３を有している。このアーム部３は、第二フレーム２の両側より突設されている。
【００２９】
前記アーム部３には、一対のフレーム１，２を回動可能に連結するための係合手段としての突起４が設けられている。ここで、突起４は、一対のアーム部３のそれぞれから内側（他方のアーム部３に向けて）突設されている。
【００３０】
また、第一フレーム１には、前記アーム部３の突起４に係合可能な穴５が形成されている。
【００３１】
そして、前記第一フレーム１の穴５と、前記第二フレーム２の突起４とにより、第一フレーム１と第二フレームとは、回動可能に連結されている。なお、アーム部３を第一フレーム１に設けることや、アーム部３に突起を設けることも適宜設計変更可能な事項である。
【００３２】
また、前記第一フレーム１と第二フレーム２とには、一定の回動角度で回動を規制する回動規制手段を複数有している。
【００３３】
まず、回動規制手段としての第一ストッパーは、一定以上の回動角度で一対のフレーム１，２が回動しないように設けられているものであり、前記突起４と穴５との形状により構成されている。具体的には、図６に示すように、突起４は、円形で一部に切欠き面を有する形状であり、穴５は、前記突起４が回動できるように略円形で且つ前記切欠き面に当接する当接面が形成されている。この第一ストッパーは、一対のフレーム１，２が９０度以上回動しないように設けられている。
【００３４】
また、回動規制手段としての第二ストッパーは、製品出荷時に第一フレーム１と第二フレーム２との回動角度を規制するために設けられている。ここで、第二ストッパーは、第一フレーム１に第二フレーム２の厚み分の距離をとって天面と平行に設けられた凸部６から構成されている。この回動規制手段としての凸部６によって第二フレーム２が第一フレーム１の天面１１と水平になる角度で両フレーム１，２を規制している。具体的には、第二フレーム２には、天面部分に複数の切欠き凹部が形成されており、第一フレームには、回動の際に前記切欠き凹部に嵌入可能な天面突起部が設けられている。そして、該天面突起部の側方に前記凸部６が形成されており、一定角度以上回動した第二フレーム２の背面側を係止できるような箇所に凸部６が形成されている。
【００３５】
また、回動規制手段としての第三ストッパーは、エージング検査時に第一フレーム１と第二フレーム２との回動角度を規制するために設けられている。ここで、この第三ストッパーは、第一フレーム１の天面突起部の穴９と第二フレーム２の突起部１０から構成されている。より具体的には、第一フレーム１の天面には天面突起部が設けられ、第二フレーム２には、該天面突起部が嵌入可能な切欠き凹部が形成され、前記天面突起部に穴９が形成され、前記切欠き凹部には突起１０が突設されている。
【００３６】
なお、本発明は上記実施例に限定されるものではなく、本発明の意図する範囲内で適宜設計変更可能である。
【００３７】
すなわち、上記実施例においては、回動規制手段を三種類有するものについて説明したが、たとえば上記実施例の何れかの回動規制手段を有するものも本発明の意図する範囲内である。
【図面の簡単な説明】
【００３８】
【図１】本発明の実施例１の基板取付装置の概略的斜視図を示し、（イ）は全体概略図であり、（ロ）は要部拡大図である。
【図２】同実施例１の基板取付装置の要部拡大した概略的斜視図である。
【図３】同実施例１の基板取付装置の概略説明図を示す。
【図４】同実施例１の基板取付装置の概略的斜視図の要部拡大した概略的斜視図である。
【図５】同実施例１の基板取付装置の概略的正面図を示す。
【図６】同実施例１の基板取付装置の第一フレームと第二フレームとの連結部分を示す拡大断面図である。
【符号の説明】
【００３９】
１  第一フレーム
２  第二フレーム
３  アーム部
４  突起
５  穴
６  凸部
９  穴
１０  突起
１１  天面
【図１】
2005292504.tif 000003
【図２】
2005292504.tif 000004
【図３】
2005292504.tif 000005
【図４】
2005292504.tif 000006
【図５】
2005292504.tif 000007
【図６】
2005292504.tif 000008